(57)【要約】【課題】使用時に摘み片が邪魔にならない中栓付き容器を提供する。【解決手段】口部１１を有する容器本体１０と、口部１１に着脱可能に装着された中栓２０とを有する中栓付き容器１であって、中栓２０は、注出口２１ｂを有する頂壁２１と、頂壁２１の外縁から口部１１の側面へと垂下する環状周壁２２と、環状周壁２２の内周面に設けられ、口部１１の外周面に設けられた係止突起１１ａにアンダーカット係合する係合突起部２２ａと、環状周壁２２の周上の一部に連なり、環状周壁２２の下端部から下方へと延びる摘み片２４と、摘み片２４に連ねて設けられ、口部１１の外周面に着脱可能に嵌合して口部１１に保持されるＣ字形状の係止フック部２５と、を有することを特徴とする中栓付き容器１。【選択図】図１
2019189338.tif 000002
【特許請求の範囲】
【請求項１】
口部を有する容器本体と、前記口部に着脱可能に装着された中栓とを有する中栓付き容器であって、
前記中栓は、
注出口を有する頂壁と、
前記頂壁の外縁から前記口部の側面へと垂下する環状周壁と、
前記環状周壁の内周面に設けられ、前記口部の外周面に設けられた係止突起にアンダーカット係合する係合突起部と、
前記環状周壁の周上の一部に連なり、該環状周壁の下端部から下方へと延びる摘み片と、
前記摘み片に連ねて設けられ、前記口部の外周面に着脱可能に嵌合して該口部に保持されるＣ字形状の係止フック部と、を有することを特徴とする中栓付き容器。
【請求項２】
前記摘み片の下端に前記係止フック部が設けられている、請求項１に記載の中栓付き容器。
【請求項３】
前記係止フック部が、前記摘み片を挟んだ両側部分に、それぞれ径方向外側に向けて突出する突出リブを備えている、請求項１または２に記載の中栓付き容器。
【請求項４】
前記突出リブが、それぞれ前記係止フック部の前記摘み片との連接部分から前記口部の軸心を中心として９０度ずれた位置に設けられている、請求項３に記載の中栓付き容器。
【請求項５】
前記口部が軸方向に沿って延びる軸方向凹溝を外周面に備え、
前記摘み片が前記軸方向凹溝の内部に配置されている、請求項１〜４の何れか１項に記載の中栓付き容器。
【請求項６】
前記口部が周方向に沿って延びる周方向凹溝を外周面に備え、
前記係止フック部が前記周方向凹溝の内部に配置されている、請求項１〜５の何れか１項に記載の中栓付き容器。
【請求項７】
前記中栓がポリエチレン製である、請求項１〜６の何れか１項に記載の中栓付き容器。
【発明の詳細な説明】
【技術分野】
【０００１】
本発明は、容器本体の口部に中栓が装着された中栓付き容器に関する。
【背景技術】
【０００２】
化粧水などの内容物を収容する容器として、容器本体の口部に中栓が装着され、中栓に設けられた注出口を通じて容器本体に収容された内容物を外部に注出させるようにした中栓付き容器が知られている。このような中栓付き容器においては、中栓として、注出口を有する頂壁と、頂壁の外縁から垂下して容器本体の口部を取り囲む環状周壁とを有し、環状周壁の内周面に設けられた係合突起部を口部の外周面に設けられた係止突起にアンダーカット係合させることで当該口部に着脱可能に装着される構成のものが広く使用されている。
【０００３】
このような中栓付き容器では、内容物を詰め替える際などに、中栓を容器本体の口部から容易に取り外すことができることが望まれている。また、近年、資源の再利用や環境保護の観点から、廃棄物を材料ごとに分別して廃棄することが要請されており、この点からも、中栓を容器本体の口部から容易に取り外して廃棄することができるようにすることが望まれている。
【０００４】
このような要望に対する中栓付き容器として、例えば特許文献１において、中栓に、環状周壁の周上の一部に連なって環状周壁の下端部から下方へと延びる中栓引き抜き用の摘み片を設け、この摘み片を摘んで引き上げることで、中栓を容器本体の口部から容易に取り外すことができるようにしたものが提案されている。
【先行技術文献】
【特許文献】
【０００５】
【特許文献１】特開２０１６−２２２２８９号公報
【発明の概要】
【発明が解決しようとする課題】
【０００６】
しかし、中栓は、口部に対してアンダーカット係合により着脱可能に装着されるために、例えばポリエチレン等の軟質の材質で構成されるのが一般的であるため、内容物の詰替えのために摘み片を引き上げて中栓を容器本体の口部から取り外す際に、摘み片が外側に向けて湾曲するようになじみ変形を生じてしまい、内容物の詰替え後に中栓を再度口部に装着しても当該変形が元に戻らず、摘み片が口部の雄ネジ部よりも外側に突出した状態となって口部にキャップをねじ結合する際の邪魔になるなどの問題を生じる虞があった。
【０００７】
本発明は、このような問題点を解決することを課題とするものであり、その目的は、使用時に摘み片が邪魔にならない中栓付き容器を提供することにある。
【課題を解決するための手段】
【０００８】
本発明の中栓付き容器は、口部を有する容器本体と、前記口部に着脱可能に装着された中栓とを有する中栓付き容器であって、前記中栓は、注出口を有する頂壁と、前記頂壁の外縁から前記口部の側面へと垂下する環状周壁と、前記環状周壁の内周面に設けられ、前記口部の外周面に設けられた係止突起にアンダーカット係合する係合突起部と、前記環状周壁の周上の一部に連なり、該環状周壁の下端部から下方へと延びる摘み片と、前記摘み片に連ねて設けられ、前記口部の外周面に着脱可能に嵌合して該口部に保持されるＣ字形状の係止フック部と、を有することを特徴とする。
【０００９】
本発明の中栓付き容器は、上記構成において、前記摘み片の下端に前記係止フック部が設けられているのが好ましい。
【００１０】
本発明の中栓付き容器は、上記構成において、前記係止フック部が、前記摘み片を挟んだ両側部分に、それぞれ径方向外側に向けて突出する突出リブを備えているのが好ましい。
【００１１】
本発明の中栓付き容器は、上記構成において、前記突出リブが、それぞれ前記係止フック部の前記摘み片との連接部分から前記口部の軸心を中心として９０度ずれた位置に設けられているのが好ましい。
【００１２】
本発明の中栓付き容器は、上記構成において、前記口部が軸方向に沿って延びる軸方向凹溝を外周面に備え、前記摘み片が前記軸方向凹溝の内部に配置されているのが好ましい。
【００１３】
本発明の中栓付き容器は、上記構成において、前記口部が周方向に沿って延びる周方向凹溝を外周面に備え、前記係止フック部が前記周方向凹溝の内部に配置されているのが好ましい。
【００１４】
本発明の中栓付き容器は、上記構成において、前記中栓がポリエチレン製であるのが好ましい。
【発明の効果】
【００１５】
本発明によれば、使用時に摘み片が邪魔にならない中栓付き容器を提供することができる。
【図面の簡単な説明】
【００１６】
【図１】（ａ）は本発明の一実施の形態に係る中栓付き容器の正面図、（ｂ）は同側面図である。
【図２】（ａ）は図１におけるＡ−Ａ線に沿う断面図であり、（ｂ）は図１におけるＢ−Ｂ線における断面図である。
【図３】図１に示す中栓の斜視図である。
【図４】（ａ）は図３に示す中栓の正面図、（ｂ）は同側面図である。
【図５】（ａ）は図１に示す容器本体の口部の部分の正面図、（ｂ）は同側面図である。
【図６】（ａ）、（ｂ）はそれぞれ容器本体の口部から中栓を取り外す手順を示す説明図である。
【発明を実施するための形態】
【００１７】
以下、図面を参照しつつ本発明の一実施の形態に係る中栓付き容器１の構成について詳細に例示説明する。
【００１８】
なお、本明細書及び特許請求の範囲においては、上下方向は、図１に示すように中栓付き容器１を正立姿勢とした状態における上下方向を意味するものとする。また、径方向とは、中栓付き容器１の中心軸線を通り当該中心軸線に垂直な直線に沿う方向を意味するものとする。
【００１９】
図１、図２に示すように、中栓付き容器１は、容器本体１０と中栓２０とを有している。
【００２０】
容器本体１０は、略円筒状の口部１１と口部１１の下端に肩部１２を介して連なる胴部１３とを備えたボトル形状となっており、その内部に例えば化粧水等の内容物を収容することができる。
【００２１】
口部１１は、図２（ａ）、図５に示すように、大径部１１Ａと、大径部１１Ａの上端に一体に連なる大径部１１Ａよりも小径の小径部１１Ｂとを有しており、小径部１１Ｂの先端側部分の外周面に当該外周面の全周に亘って延びる環状の係止突起１１ａを一体に備えるとともに、大径部１１Ａの外周面に雄ネジ部１１ｂを一体に備えている。
【００２２】
容器本体１０は、例えばポリプロピレン（ＰＰ）やポリエチレンテレフタレート（ＰＥＴ）等の合成樹脂製のものとすることができるが、他の合成樹脂製としてもよく、ガラス製、アルミニウム又はステンレス等の金属製のものとすることもできる。
【００２３】
中栓２０は、容器本体１０の口部１１に着脱可能に装着されるものであり、図１〜図４に示すように、略円板状の頂壁２１と、頂壁２１の外縁に一体に連なるとともに頂壁２１の外縁から口部１１の小径部１１Ｂの側面へと垂下する略円筒状の環状周壁２２とを有している。頂壁２１と環状周壁２２とにより、口部１１の開口端部分を覆う有頂円筒状の中栓２０の本体部分が構成されている。
【００２４】
図２（ａ）に示すように、環状周壁２２の内周面には係合突起部２２ａが一体に設けられている。係合突起部２２ａは、環状周壁２２の内周面から径方向内側に突出するとともに周方向に延びており、口部１１の小径部１１Ｂの外周面に設けられた係止突起１１ａにアンダーカット係合している。
【００２５】
ここで、「アンダーカット係合」とは、中栓２０を口部１１に装着した状態において、中栓２０の係合突起部２２ａと口部１１の係止突起１１ａとが上下方向（中心軸線に沿う方向）に引っ掛かり合うように係合することを意味する。
【００２６】
このような構成により、中栓２０を口部１１に向けて押し込む（打栓する）ことで、環状周壁２２の内周面に設けられた係合突起部２２ａを口部１１の外周面に設けられた係止突起１１ａにアンダーカット係合させて、中栓２０を口部１１に着脱可能に装着して口部１１に保持させることができる。中栓２０が口部１１に装着保持された状態において、中栓２０の環状周壁２２の外周面は大径部１１Ａの外周面よりも僅かに径方向内側に位置している。
【００２７】
なお、係合突起部２２ａ及び係止突起１１ａは、それぞれ環状周壁２２ないし口部１１の全周に亘って延びて設けられていてもよいが、互いがアンダーカット係合することができれば、周方向に断続的に延びるように周方向に複数部分に分けられた構成であってもよい。
【００２８】
本実施の形態においては、中栓２０はポリエチレン製である。中栓２０をポリエチレン製としたことにより、係止突起１１ａにアンダーカット係合する係合突起部２２ａを容易に変形させることができるようにして、中栓２０を口部１１に対して容易に着脱させることができる。なお、中栓２０はポリエチレン製以外の他の合成樹脂製とすることもできるが、上記したポリエチレンのように比較的軟質の材質で形成されたものとするのがより好ましい。
【００２９】
図２（ａ）に示すように、頂壁２１の下面には円筒状のシール筒部２３が環状周壁２２と同軸状に設けられており、中栓２０が口部１１に装着されると、シール筒部２３が口部１１の内周面に嵌合して中栓２０と口部１１との間が液密にシールされる。
【００３０】
中栓２０の頂壁２１の軸心には上方に向けて山形に突出するノズル部２１ａが一体に設けられ、ノズル部２１ａの先端が注出口２１ｂとなっている。中栓２０は、この注出口２１ｂから容器本体１０の内部に収容されている内容物を外部に注出させることができる。
【００３１】
図２（ａ）に示すように、口部１１には、注出口２１ｂを閉塞するキャップ（二点鎖線で示す）３０を雄ネジ部１１ｂにねじ結合させて口部１１に着脱可能に装着することができる。
【００３２】
図１〜図４に示すように、中栓２０は摘み片２４を有している。摘み片２４は、周方向よりも上下方向の寸法が大きい矩形の板状に形成されており、環状周壁２２の周上の一部に一体に連なり、環状周壁２２の下端部から下方へと延びている。
【００３３】
図示する場合では、環状周壁２２の下端部にフランジ状部分２２ｂが一体に設けられ、このフランジ状部分２２ｂの下面から摘み片２４が一体に延びる構成とされているが、環状周壁２２にフランジ状部分２２ｂが設けられずに、環状周壁２２から直接摘み片２４が一体に延びる構成とすることもできる。
【００３４】
使用者は、摘み片２４を径方向外側に向けて変形させて指等で摘み、これを上方に引き上げることにより、係合突起部２２ａと係止突起１１ａとのアンダーカット係合の少なくとも一部を解除して、中栓２０を容器本体１０の口部１１から容易に取り外すことができる。
【００３５】
なお、摘み片２４は、環状周壁２２の周上の一部に一体に連なって環状周壁２２の下端部から下方へと延びて使用者が指等により摘むことができるものであれば、その形状は上記した矩形形状に限らず種々変更可能である。
【００３６】
図５からも解るように、容器本体１０の口部１１の外周面には軸方向凹溝１１ｃが設けられている。軸方向凹溝１１ｃは、口部１１の軸方向（上下方向）に沿って延びており、その上端が大径部１１Ａの上面に開口している。図１（ａ）に示すように、摘み片２４は軸方向凹溝１１ｃの内部に配置され、その径方向外側を向く外面が大径部１１Ａの外周面に対して径方向外側に向けて突出しないようになっている。これにより、例えば口部１１にキャップ３０を装着する際などにおいて、摘み片２４が邪魔になることはない。
【００３７】
図１〜図４に示すように、摘み片２４の下端には係止フック部２５が一体に連ねて設けられている。係止フック部２５は頂壁２１と同軸となるＣ字形状を有しており、その周方向の中央位置において摘み片２４の下端に一体に連ねられている。係止フック部２５は上記形状を有することにより、開放部分を口部１１の側面に向けて押し込まれることで、口部１１の外周面に着脱可能に嵌合することができ、口部１１の外周面に嵌合することにより口部１１に保持される。また、係止フック部２５が口部１１の外周面に嵌合すると、摘み片２４は係止フック部２５により下端の径方向位置が規制され、軸方向凹溝１１ｃの内部に配置された状態に保持される。
【００３８】
図５からも解るように、容器本体１０の口部１１の外周面には、軸方向凹溝１１ｃの下端に連ねて口部１１の周方向に沿って延びる周方向凹溝１１ｄが設けられている。図１に示すように、係止フック部２５は周方向凹溝１１ｄの内部に配置され、その径方向外側を向く外面が大径部１１Ａの外周面に対して径方向外側に向けて突出しないようになっている。これにより、例えば口部１１にキャップ３０を装着する際などにおいて、係止フック部２５が邪魔になることはない。
【００３９】
係止フック部２５の外周面の摘み片２４を挟んだ両側部分に、それぞれ径方向外側に向けて突出する突出リブ２５ａを一体に設けた構成とすることもできる。図示する場合では、突出リブ２５ａは、それぞれ口部１１の軸方向（上下方向）に沿って延びる細長いリブ状となっており、口部１１の大径部１１Ａの外周面よりも径方向外側に向けて突出している。また、一対の突出リブ２５ａは、係止フック部２５の摘み片２４との連接部分から口部１１の軸心を中心として９０度ずれた位置に設けられて、互いに口部１１の軸心を挟んで対称に配置されている。
【００４０】
係止フック部２５の外周面に突出リブ２５ａを設けることにより、係止フック部２５を周方向凹溝１１ｄの内部に配置した構成としても、突出リブ２５ａに指を掛けて係止フック部２５を口部１１に対して径方向に容易に移動させることができる。したがって、係止フック部２５を口部１１から取り外す作業を容易に行い得るようにすることができる。
【００４１】
また、一対の係止フック部２５を、摘み片２４との連接部分から口部１１の軸心を中心として９０度ずれた位置に設けるようにしたので、突出リブ２５ａに加える力がより効果的に係止フック部２５を口部１１に対して径方向に移動させる方向に加えられるようにして、係止フック部２５を口部１１から取り外す作業をより容易に行い得るようにすることができる。
【００４２】
さらに、突出リブ２５ａを、それぞれ口部１１の軸方向に沿って延びる細長いリブ状としたことにより、突出リブ２５ａに指を掛け易くして、係止フック部２５を口部１１から取り外す作業をより容易に行い得るようにすることができる。
【００４３】
上記構成を有する中栓付き容器１によれば、図６（ａ）に示すように、突出リブ２５ａに指を掛けて周方向凹溝１１ｄに配置されている係止フック部２５を口部１１に対して径方向外側にずらし、図６（ｂ）に示すように、係止フック部２５を口部１１から取り外した後、摘み片２４ないし係止フック部２５を上方に引き上げることにより、中栓２０を容器本体１０の口部１１から容易に取り外すことができる。
【００４４】
また、中栓２０を口部１１から取り外す際に摘み片２４が径方向外側に向けてなじみ変形した場合であっても、中栓２０を再度口部１１に装着した際に、図１に示すように、係止フック部２５を口部１１に嵌合保持させることで、変形した摘み片２４の下端位置を係止フック部２５により口部１１の外周面に沿う位置に規制して、摘み片２４を口部１１の外周面から突出しない姿勢に保持することができる。したがって、口部１１から取り外された中栓２０を再度口部１１に装着した場合であっても、摘み片２４が口部１１の外周面から突出することを防止して、使用時に摘み片２４が邪魔にならないようにすることができる。
【００４５】
特に、本実施の形態のように、中栓２０を口部１１からの取り外しの際に摘み片２４がなじみ変形し易い軟質のポリエチレン製とした場合であっても、上記構成により、摘み片２４が口部１１の外周面から突出することを確実に防止して、使用時に摘み片２４が邪魔にならないようにすることができる。
【００４６】
また、本実施の形態においては、摘み片２４及び係止フック部２５を、それぞれ口部１１の外周面に設けた軸方向凹溝１１ｃないし周方向凹溝１１ｄの内部に配置するようにしたので、使用時に摘み片２４ないし係止フック部２５が邪魔になることをさらに確実に抑制することができる。
【００４７】
さらに、本実施の形態においては、係止フック部２５を摘み片２４の下端に設けるようにしたので、最も径方向外側に向けて変形し易い係止フック部２５の下端を係止フック部２５により口部１１の外周面に沿う位置に規制することができる。これにより、摘み片２４が口部１１の外周面から突出することを確実に防止することができる。
【００４８】
本発明は上記の実施形態に限定されるものではなく、その要旨を逸脱しない範囲で種々変更可能であることはいうまでもない。
【００４９】
例えば、前記実施の形態においては、係止フック部２５を摘み片２４の下端に設けるようにしているが、これに限らず、例えば係止フック部２５を摘み片２４の下端から僅かに上方側に設けるなど、その設ける位置は種々変更可能である。
【符号の説明】
【００５０】
１    中栓付き容器
１０    容器本体
１１    口部
１１Ａ  大径部
１１Ｂ  小径部
１１ａ  係止突起
１１ｂ  雄ネジ部
１１ｃ  軸方向凹溝
１１ｄ  周方向凹溝
１２    肩部
１３    胴部
２０    中栓
２１    頂壁
２１ａ  ノズル部
２１ｂ  注出口
２２    環状周壁
２２ａ  係合突起部
２２ｂ  フランジ状部分
２３    シール筒部
２４    摘み片
２５    係止フック部
２５ａ  突出リブ
３０    キャップ
【図１】
2019189338.tif 000003
【図２】
2019189338.tif 000004
【図３】
2019189338.tif 000005
【図４】
2019189338.tif 000006
【図５】
2019189338.tif 000007
【図６】
2019189338.tif 000008